【手続補正書】
【提出日】平成16年8月18日(2004.8.18)
【手続補正１】
【補正対象書類名】明細書
【補正対象項目名】特許請求の範囲
【補正方法】変更
【補正の内容】
【特許請求の範囲】
【請求項１】
複数の基本構成要素によって構成されるデータを処理するデータ処理システムであって、
データ利用時においてデータに含まれる各基本構成要素についての参照情報を生成する参照情報生成手段と、
該参照情報を基に各基本構成要素間の関連性を考慮して、関連性のある複数の基本構成要素を１つの新規構成要素として生成して、データを新規構成要素の集合として再構成するデータ再構成手段と、
を具備することを特徴とするデータ処理システム。
【請求項２】
データはコンピュータ可読形式で記述された命令列からなるプログラムである、
ことを特徴とする請求項１に記載のデータ処理システム。
【請求項３】
データは関数と変数などのシンボルである、
ことを特徴とする請求項１に記載のデータ処理システム。
【請求項４】
データはベーシック・ブロックである、
ことを特徴とする請求項１に記載のデータ処理システム。
【請求項５】
データはプログラムの管理情報要素である、
ことを特徴とする請求項１に記載のデータ処理システム。
【請求項６】
参照情報はデータ毎に累積され一般化した情報である、
ことを特徴とする請求項１に記載のデータ処理システム。
【請求項７】
参照情報はデータ利用時において基本構成要素が最初に利用される時刻情報である、
ことを特徴とする請求項１に記載のデータ処理システム。
【請求項８】
参照情報はデータ利用時に基本構成要素が利用される頻度情報である、
ことを特徴とする請求項１に記載のデータ処理システム。
【請求項９】
参照情報は、基本構成要素が利用された装置に関する情報などである、
ことを特徴とする請求項１に記載のデータ処理システム。
【請求項１０】
新規構成要素を単位として装置間でデータの移動を行うデータ移動手段をさらに備える、
ことを特徴とする請求項１に記載のデータ処理システム。
【請求項１１】
新規構成要素を単位として動的リンクを行う動的リンク手段をさらに備える、
ことを特徴とする請求項１に記載のデータ処理システム。
【請求項１２】
前記参照情報生成手段は再構成されたデータを利用するデータ利用装置内に配置される、
ことを特徴とする請求項１に記載のデータ処理システム。
【請求項１３】
前記参照情報生成手段は前記データ利用装置において参照情報の取得の指示が行われたことに応答して参照情報の取得を行う、
ことを特徴とする請求項１２に記載のデータ処理システム。
【請求項１４】
前記参照情報生成手段は自動的に参照情報の取得を行う、
ことを特徴とする請求項１２に記載のデータ処理システム。
【請求項１５】
前記参照情報生成手段は常に参照情報の取得を行う、
ことを特徴とする請求項１２に記載のデータ処理システム。
【請求項１６】
前記参照情報生成手段は再構成されたデータを利用するデータ利用装置以外に配置される、
ことを特徴とする請求項１に記載のデータ処理システム。
【請求項１７】
前記参照情報生成手段は前記データ利用装置におけるデータ利用を模擬して参照情報の取得を行う、
ことを特徴とする請求項１６に記載のデータ処理システム。
【請求項１８】
前記参照情報生成手段はデータを解析して参照情報の取得を行う、
ことを特徴とする請求項１６に記載のデータ処理システム。
【請求項１９】
前記データ再構成手段はデータの移動に先立ってデータの再構成を行う、
ことを特徴とする請求項１に記載のデータ処理システム。
【請求項２０】
前記データ再構成手段はデータの移動が完了した後にデータの再構成を行う、
ことを特徴とする請求項１に記載のデータ処理システム。
【請求項２１】
前記データ再構成手段は参照情報を基に基本構成要素間の利用関係を定義して該定義を基に新規構成要素を生成する、
ことを特徴とする請求項１に記載のデータ処理システム。
【請求項２２】
前記データ再構成手段は基本構成要素が利用される参照時刻から計算される参照間隔を利用関係として定義する、
ことを特徴とする請求項２１に記載のデータ処理システム。
【請求項２３】
前記データ再構成手段は利用関係が特定の参照間隔閾値となる基本構成要素をまとめて１つの新規構成要素を生成する、
ことを特徴とする請求項２１に記載のデータ処理システム。
【請求項２４】
前記データ再構成手段はすべての又は特定の複数のデータの複数の利用関係から参照間隔閾値を決定する、
ことを特徴とする請求項２３に記載のデータ処理システム。
【請求項２５】
前記データ再構成手段は複数の参照情報から得られる参照間隔の平均値に標準偏差を加算した値を参照情報閾値として決定する、
ことを特徴とする請求項２５に記載のデータ処理システム。
【請求項２６】
複数の基本構成要素によって構成されるデータを処理するデータ処理方法であって、
データ利用時においてデータに含まれる各基本構成要素についての参照情報を生成する参照情報生成ステップと、
該参照情報を基に各基本構成要素間の関連性を考慮して、関連性のある複数の基本構成要素を１つの新規構成要素として生成して、データを新規構成要素の集合として再構成するデータ再構成ステップと、
を具備することを特徴とするデータ処理方法。
【請求項２７】
データはコンピュータ可読形式で記述された命令列からなるプログラムである、
ことを特徴とする請求項２６に記載のデータ処理方法。
【請求項２８】
データは関数と変数などのシンボルである、
ことを特徴とする請求項２６に記載のデータ処理方法。
【請求項２９】
データはベーシック・ブロックである、
ことを特徴とする請求項２６に記載のデータ処理方法。
【請求項３０】
データはプログラムの管理情報要素である、
ことを特徴とする請求項２６に記載のデータ処理方法。
【請求項３１】
参照情報はデータ毎に累積され一般化した情報である、
ことを特徴とする請求項２６に記載のデータ処理方法。
【請求項３２】
参照情報はデータ利用時において基本構成要素が最初に利用される時刻情報である、
ことを特徴とする請求項２６に記載のデータ処理方法。
【請求項３３】
参照情報はデータ利用時に基本構成要素が利用される頻度情報である、
ことを特徴とする請求項２６に記載のデータ処理方法。
【請求項３４】
参照情報は、基本構成要素が利用された装置に関する情報などである、
ことを特徴とする請求項２６に記載のデータ処理方法。
【請求項３５】
新規構成要素を単位として装置間でデータの移動を行うデータ移動ステップをさらに備える、
ことを特徴とする請求項２６に記載のデータ処理方法。
【請求項３６】
新規構成要素を単位として動的リンクを行う動的リンクステップをさらに備える、
ことを特徴とする請求項２６に記載のデータ処理方法。
【請求項３７】
前記参照情報生成ステップは再構成されたデータを利用するデータ利用装置内で実行される、
ことを特徴とする請求項２６に記載のデータ処理方法。
【請求項３８】
前記参照情報生成ステップは前記データ利用装置において参照情報の取得の指示が行われたことに応答して参照情報の取得を行う、
ことを特徴とする請求項３７に記載のデータ処理方法。
【請求項３９】
前記参照情報生成ステップは自動的に参照情報の取得を行う、
ことを特徴とする請求項３７に記載のデータ処理方法。
【請求項４０】
前記参照情報生成ステップは常に参照情報の取得を行う、
ことを特徴とする請求項３７に記載のデータ処理方法。
【請求項４１】
前記参照情報生成ステップは再構成されたデータを利用するデータ利用装置以外で実行される、
ことを特徴とする請求項２６に記載のデータ処理方法。
【請求項４２】
前記参照情報生成ステップでは前記データ利用装置におけるデータ利用を模擬して参照情報の取得を行う、
ことを特徴とする請求項４１に記載のデータ処理方法。
【請求項４３】
前記参照情報生成ステップではデータを解析して参照情報の取得を行う、
ことを特徴とする請求項４１に記載のデータ処理方法。
【請求項４４】
前記データ再構成ステップはデータの移動に先立ってデータの再構成を行う、
ことを特徴とする請求項２６に記載のデータ処理方法。
【請求項４５】
前記データ再構成ステップはデータの移動が完了した後にデータの再構成を行う、
ことを特徴とする請求項２６に記載のデータ処理方法。
【請求項４６】
前記データ再構成ステップでは参照情報を基に基本構成要素間の利用関係を定義して該定義を基に新規構成要素を生成する、
ことを特徴とする請求項２６に記載のデータ処理方法。
【請求項４７】
前記データ再構成ステップでは基本構成要素が利用される参照時刻から計算される参照間隔を利用関係として定義する、
ことを特徴とする請求項４６に記載のデータ処理方法。
【請求項４８】
前記データ再構成ステップでは利用関係が特定の参照間隔閾値となる基本構成要素をまとめて１つの新規構成要素を生成する、
ことを特徴とする請求項４６に記載のデータ処理方法。
【請求項４９】
前記データ再構成ステップではすべての又は特定の複数のデータの複数の利用関係から参照間隔閾値を決定する、
ことを特徴とする請求項４８に記載のデータ処理方法。
【請求項５０】
前記データ再構成ステップでは複数の参照情報から得られる参照間隔の平均値に標準偏差を加算した値を参照情報閾値として決定する、
ことを特徴とする請求項２６に記載のデータ処理方法。
【請求項５１】
複数の基本構成要素によって構成されるデータの処理をコンピュータ・システム上で実行するように記述されたコンピュータ・ソフトウェアをコンピュータ可読形式で物理的に格納した記憶媒体であって、前記コンピュータ・ソフトウェアは、
データ利用時においてデータに含まれる各基本構成要素についての参照情報を生成する参照情報生成ステップと、
該参照情報を基に各基本構成要素間の関連性を考慮して、関連性のある複数の基本構成要素を１つの新規構成要素として生成して、データを新規構成要素の集合として再構成するデータ再構成ステップと、
を具備することを特徴とする記憶媒体。
【手続補正２】
【補正対象書類名】明細書
【補正対象項目名】０１０５
【補正方法】変更
【補正の内容】
【０１０５】
Ｉｎｖｏｋｅ
（１）引数で指定されたＰｒｏｇｒａｍＩＤを指定して、サーバ１にＬｏａｄメッセージを送り、プログラムを構成するすべてのモジュールをダウンロードする。
（２）ＰｒｏｇｒａｍＩＤに対してＲｅｆｅｒｅｎｃｅＩｎｆｏを初期化する。
（３）ＥｘｅｃＳｐａｃｅ２−１にＲｅｓｕｍｅを送り、実行を再開させる。